(57)【要約】【課題】組立性を高めつつ、防水性を高めた散布装置を提供することを課題とする。【解決手段】液体を散布するためのポンプ１２と、ポンプ１２を駆動させるモータ１４と、モータ１４に電力を供給するバッテリ１８と、モータ１４及びバッテリ１８を覆うカバー１０と、を備えた散布装置において、カバー１０を、バッテリ１８に上から被せるようにして覆う構成とすることで、シール剤を用いることなく、カバー１０内への液体の浸入を防止でき、組立性を高めつつ、防水性を高めることができる。【選択図】図１
2010046628.tif 000002
【特許請求の範囲】
【請求項１】
液体を散布するためのポンプ（１２）と、前記ポンプ（１２）を駆動させるモータ（１４）と、前記モータ（１４）に電力を供給するバッテリ（１８）と、前記モータ（１４）及び前記バッテリ（１８）を覆うカバー（１０）と、を備えた散布装置において、
前記カバー（１０）は、前記バッテリ（１８）を、上から被せるようにして覆う構成である、
ことを特徴とする散布装置（１）。
【請求項２】
前記バッテリ（１８）は、前記カバー（１０）の内表面との間に毛細管現象を発現しない距離を有する、
ことを特徴とする請求項１に記載の散布装置（１）。
【請求項３】
前記バッテリ（１８）が有する端子（１８ｂ）は、前記カバー（１０）によって上から覆われており、且つ、当該端子（１８ｂ）は、前記カバー（１０）の内表面との間に毛細管現象を発現しない距離を有する、
ことを特徴とする請求項１又は２に記載の散布装置（１）。
【請求項４】
前記バッテリ（１８）に電気的に接続される内部配線（１０ｂ）は、前記カバー（１０）によって上から覆われており、且つ、当該内部配線（１０ｂ）は、前記カバー（１０）の内表面との間に毛細管現象を発現しない距離を有する、
ことを特徴とする請求項１〜３の何れか１項に記載の散布装置（１）。
【請求項５】
前記バッテリ（１８）は、前記カバー（１０）内においてバッテリケース（１６）に収容されており、
前記バッテリケース（１６）は、前記カバー（１０）の内表面との間に毛細管現象を発現しない距離を有する、
ことを特徴とする請求項１〜４の何れか１項に記載の散布装置（１）。
【発明の詳細な説明】
【技術分野】
【０００１】
本発明は、散布装置に関するものである。
【背景技術】
【０００２】
従来、上記の分野において、バッテリから電力の供給を受けたモータがポンプを駆動して液体タンクの液体を散布する動力型の散布装置が知られている（例えば、特許文献１参照）。この散布装置では、液体タンクの側面にモータ、ポンプ及びバッテリが配置され、これらが液体タンクの側面に取り付けられたカバーにより側方から覆われて保護されている。
【特許文献１】特開２００５−１１８６７４号公報
【発明の開示】
【発明が解決しようとする課題】
【０００３】
しかしながら、上記の散布装置においては、液体タンクの表面に滴る液体が、液体タンクと液体タンクの側面に取り付けられたカバーとの継ぎ目を介して、カバー内部に浸入する場合があり防水性が低い。そこで、これを防止するためにはシール剤の塗布が必要となるが、これでは組立が煩雑となり、組立性が低下してしまう。
【０００４】
本発明は、上記のような課題を解決するために成されたものであって、組立性を高めつつ、防水性を高めた散布装置を提供することを課題とする。
【課題を解決するための手段】
【０００５】
本発明に係る散布装置（１）は、液体を散布するためのポンプ（１２）と、ポンプ（１２）を駆動させるモータ（１４）と、モータ（１４）に電力を供給するバッテリ（１８）と、モータ（１４）及びバッテリ（１８）を覆うカバー（１０）と、を備えた散布装置（１）において、カバー（１０）は、バッテリ（１８）を、上から被せるようにして覆う構成である、ことを特徴とする。
【０００６】
このような散布装置（１）によれば、シール剤を用いることなく、上から被せるようにして覆うカバー（１０）によって、カバー（１０）内部への液体の浸入が防止されるため、組立性を高めつつ防水性を高めることができる。
【０００７】
ここで、バッテリ（１８）は、カバー（１０）の内表面との間に毛細管現象を発現しない距離を有する構成であると、カバー（１０）表面に滴る液体が、バッテリ（１８）とカバー（１０）の内表面との隙間を介して毛細管現象によってカバー（１０）内部へ浸入することが防止されるため、防水性を一層高めることができる。
【０００８】
また、バッテリ（１８）が有する端子（１８ｂ）は、カバー（１０）によって上から覆われており、且つ、当該端子（１８ｂ）は、カバー（１０）の内表面との間に毛細管現象を発現しない距離を有する構成であると、カバー（１０）の表面に滴る液体が、毛細管現象により端子（１８ｂ）に到達することが防止されるため、防水性を一層高めることができる。
【０００９】
また、バッテリ（１８）に電気的に接続される内部配線（１０ｂ）は、カバー（１０）によって上から覆われており、且つ、当該内部配線（１０ｂ）はカバー（１０）の内表面との間に毛細管現象を発現しない距離を有する構成であると、カバー（１０）の表面に滴る液体が、毛細管現象により内部配線（１０ｂ）に到達することが防止されるため、防水性を一層高めることができる。
【００１０】
さらに、バッテリ（１８）は、カバー（１０）内においてバッテリケース（１６）に収容されており、バッテリケース（１６）は、カバー（１０）の内表面との間に毛細管現象を発現しない距離を有する構成であると、カバー（１０）の表面に滴る液体が、バッテリケース（１６）とカバー（１０）の内表面との隙間を介して毛細管現象によってカバー（１０）の内部に浸入することが防止されるため、防水性を一層高めることができる。さらにバッテリ（１８）はバッテリケース（１６）に収容されているため、防水性を一層高めることができる。
【発明の効果】
【００１１】
本発明によれば、組立性を高めつつ防水性を高めた散布装置を提供することができる。
【発明を実施するための最良の形態】
【００１２】
以下、図面を参照して、本発明に係る散布装置の一実施形態について詳細に説明する。また、以下では、本発明に係る散布装置を、農薬等の薬液を散布するための散布装置として説明する。
【００１３】
図１は本実施形態に係る散布装置１の斜視図、図２は図１に示した散布装置１の下方からの斜視図、図３は図２に示した散布装置１の分解斜視図、図４は図３のさらなる分解斜視図、図５は図４を前後方向に逆から見た分解斜視図、図６は図２に示した散布装置１の底部カバー２０を取り外した場合の底面図、図７は図６のさらなる分解斜視図、図８はバッテリケースの分解斜視図である。
【００１４】
図１に示すように、散布装置１は、液体を散布するためのポンプ１２と、ポンプ１２を駆動させるモータ１４と、モータ１４に電力を供給するバッテリ１８と、これを収容するバッテリケース１６と、モータ１４及びバッテリ１８を覆う本体カバー（カバー）１０と、この本体カバー１０を下から塞ぐ底部カバー２０（図２参照）と、を備えている。また、散布装置１は、底部カバー２０の底部に、架台となる脚部１３を有すると共に、本体カバー１０の背面にホース１７を有し、この脚部１３のホース１７と本体カバー１０との間の位置に、本体カバー１０の上方に突出し把手となるハンドル１５を有している。以下、各部について詳細に説明する。
【００１５】
モータ１４は、ポンプ１２の駆動源となるもので、本体カバー１０内を上下方向に仕切る仕切部１０ｅ（図４参照）より上方に配置され本体カバー１０の内部に収容されて覆われる。
【００１６】
ポンプ１２は、ポンプ作用を行うもので、図１に示すように、本体カバー１０の側面より突出して設けられており、その吸入口にホース１７が接続されている。そして、ポンプ１２は、モータ１４により駆動され、ホース１７から供給される液体を排出口から排出し散布に供する。
【００１７】
バッテリケース１６は、図８に示すように、下部バッテリケース１６ｂと、この下部バッテリケース１６ｂを上から覆う上部バッテリケース１６ａと、から構成され、散布装置１の底部中央に位置する。底部バッテリケース１６ｂは、矩形平板上に構成されており、内面に格子状の区画が設けられている。上部バッテリケース１６ａは、蓋状の構造であり、底部バッテリケース１６ｂの側縁上にボルトにより複数箇所にて固定され、箱体のバッテリケース１６を構成する。また、上部バッテリケース１６ａの上面前部には、バッテリケース１６を本体カバー１０に係止するための爪部１６ｅが設けられ、上部バッテリケース１６ａの背面１６ｆには、バッテリ１８が有する接続端子（端子）１８ｂ及び充電端子１８ｃ（図５参照）を露出するための接続端子口１６ｃ及び充電端子口１６ｄが各々設けられている。
【００１８】
バッテリ１８は、モータ１４の動力源となるもので、底部バッテリケース１６ｂの各区画上に載置され（図６の仮想線で示す符号１８参照）、上部バッテリケース１６ａによって上から覆われる。したがって、バッテリケース１６は、バッテリ１８を上から被せて覆う構造を有する。そして、バッテリ１８がバッテリケース１６に収容された際、図５に示すように、接続端子１８ｂ及び充電端子１８ｃは、接続端子口１６ｃ及び充電端子口１６ｄを通してそれぞれ露出するように構成されている。
【００１９】
本体カバー１０は、図１及び図３に示すように、上方に凸となるような内部空間を有すると共に、上記仕切部１０ｅを内部に有している。
【００２０】
そして、特に本実施形態においては、本体カバー１０は、バッテリケース１６及びバッテリ１８を、上から被せるようにして覆う構成とされている。
【００２１】
具体的には、バッテリ１８を収容したバッテリケース１６は、図３に示すように、本体カバー１０及び底部カバー２０により下部に形成されて前方に開放された収容領域１０ｄにその背面１６ｆよりスライド挿入され、爪部１６ｅが、本体カバー１０の内表面に係止されることで着脱可能に装着される。これにより、バッテリケース１６及びバッテリ１８は、本体カバー１０により上から被せるようにして覆われている。
【００２２】
本体カバー１０は、図４に示すように、内表面の背面側にコの字状の保持部材１０ｃを有し、この保持部材１０ｃは、モータ１４に接続される内部配線１０ｂ及び、この内部配線１０ｂに接続された本体側接続端子１０ａを保持する。したがって、バッテリ１８を収容したバッテリケース１６が収容領域１０ｄに挿入されると、バッテリ１８の接続端子１８ｂと本体側接続端子１０ａとが接続される。そして、モータ１４は、本体側接続端子１０ａ及び内部配線１０ｂを介してバッテリ１８より電力の供給を受け、ポンプ１２を駆動する。
【００２３】
また、特に本実施形態にあっては、図６に示すように、バッテリケース１６及びバッテリ１８は、本体カバー１０に収容された際、本体カバー１０との間に毛細管現象を発現しない距離（隙間）を有する。
【００２４】
また、バッテリ１８が有する接続端子１８ｂ及び充電端子１８ｃは、本体カバー１０によって上から覆われており、且つ、この接続端子１８ｂ及び充電端子１８ｃは本体カバー１０の内表面との間に毛細管現象を発現しない距離を有する。
【００２５】
また、図７に示すように、本体側接続端子１０ａは、本体カバー１０によって上から覆われており、且つ、この本体側接続端子１０ａは、保持部材１０ｃによって、本体カバー１０の内表面との間に毛細管現象を発現しない距離を有するように保持される。
【００２６】
さらに、図７に示すように、バッテリ１８と電気的に接続される内部配線１０ｂは、本体カバー１０によって上から覆われており、且つ、この内部配線１０ｂは、保持部材１０ｃによって、本体カバー１０の内表面との間に毛細管現象を発現しない距離を有するように保持される。
【００２７】
続いて、本実施形態に係る散布装置１の動作について説明する。本実施形態に係る散布装置１は、バッテリ１８が接続端子１８ｂ、本体側接続端子１０ａ及び内部配線１０ｂを介してモータ１４に電力を供給し、モータ１４がポンプ１２を駆動し、ポンプ１２により農薬等の液体が散布に供される。
【００２８】
そして、本実施形態に係る散布装置１によれば、本体カバー１０は、バッテリ１８を上から被せるようにして覆う構造であるので、シール剤を用いることなく、本体カバー１０の内部への液体の浸入が防止され、組立性を高めつつ防水性を高めることができる。
【００２９】
また、バッテリ１８は、本体カバー１０との間に毛細管現象を発現しない距離を有するため、本体カバー１０の表面に滴る（付着する）液体が、本体カバー１０の内表面との隙間を介して毛細管現象によって本体カバー１０の内部に浸入することが防止され、防水性を一層高めることができる。
【００３０】
さらに、バッテリ１８がバッテリケース１６に収容されているため、一層防水性を高めることができる。
【００３１】
また、バッテリケース１６は、本体カバー１０の内表面との間に毛細管現象を発現しない距離を有する構成であるため、本体カバー１０の表面に滴る液体が、バッテリケース１６と本体カバー１０の内表面との隙間を介して毛細管現象によって本体カバー１０の内部に浸入することが防止され、防水性を一層高めることができる。
【００３２】
また、バッテリ１８の接続端子１８ｂ及び充電端子１８ｃは、本体カバー１０の内表面との間に毛細管現象を発現しない距離を有するため、本体カバー１０の表面に滴る液体が、毛細管現象により、バッテリ１８の接続端子１８ｂ及び充電端子１８ｃに到達することを防止することができ、防水性を一層高めることができる。
【００３３】
さらに、本体側接続端子１０ａ及び内部配線１０ｂは本体カバー１０の内表面との間に毛細管現象を発現しない距離を有するため、本体カバー１０の表面に滴る液体が、毛細管現象により、本体側接続端子１０ａ及び内部配線１０ｂに到達することを防止することができ、防水性を一層高めることができる。
【００３４】
また、重量比率の大きいバッテリ１８が散布装置１の下部中央に位置するため、高い安定性が得られる。
【００３５】
また、バッテリ１８を収容領域１０ｄに挿入した際に、バッテリ１８の接続端子１８ｂ、充電端子１８ｃ、及び本体側接続端子１０ａが本体カバー１０によって覆われているため、これらの防水のためのキャップ等が不要である。
【００３６】
さらに、バッテリ１８を収容領域１０ｄに挿入した際、充電端子１８ｃが本体カバー１０によって覆われるため、散布装置１の運転中にバッテリ１８を充電することが不可能であり、充電中に運転することによって生じる異常発熱を防ぐことができる。
【００３７】
以上、本発明に係る散布装置を、好適な実施形態を用いて説明したが、本発明はこの実施形態に限定されるものではなく、例えば、背負式の散布装置等に適用することも可能である。
【図面の簡単な説明】
【００３８】
【図１】本実施形態に係る散布装置の斜視図である。
【図２】図１に示した散布装置の下方からの斜視図である。
【図３】図２に示した散布装置の分解斜視図である。
【図４】図３のさらなる分解斜視図である。
【図５】図４を前後方向に逆から見た分解斜視図である。
【図６】図２に示した散布装置の底部カバーを取り外した場合の底面図である。
【図７】図６のさらなる分解斜視図である。
【図８】バッテリケースの分解斜視図である。
【符号の説明】
【００３９】
１…散布装置、１０…本体カバー（カバー）、１０ａ…本体側接続端子、１０ｂ…内部配線、１２…ポンプ、１４…モータ、１６…バッテリケース、１６ａ…上部バッテリケース、１６ｂ…底部バッテリケース、１８…バッテリ、１８ｂ…接続端子、１８ｃ…充電端子。
【図１】
2010046628.tif 000003
【図２】
2010046628.tif 000004
【図３】
2010046628.tif 000005
【図４】
2010046628.tif 000006
【図５】
2010046628.tif 000007
【図６】
2010046628.tif 000008
【図７】
2010046628.tif 000009
【図８】
2010046628.tif 000010